(57)【要約】【課題】コンタクトレンズの内面を清潔に保ったまま眼に装着することが可能となると共に、コンタクトレンズを過度に変形させることなく容易に保持して、コンタクトレンズ保存ケースから取り出すことができる、新規な構造のコンタクトレンズ吸着具を提供すること。【解決手段】把持部１２と、把持部１２に支持されていると共に、保存液３６に浸漬されたコンタクトレンズ２４に密着してコンタクトレンズ２４を保持するコンタクトレンズ保持部１４を備えており、コンタクトレンズ保持部１４が、コンタクトレンズ２４の内面３８の外周縁部４２に対して近接してコンタクトレンズ２４の内面３８を覆蓋して内面３８との間に閉状の保存液充填領域４４を画成することでコンタクトレンズ２４を吸着する吸着部２２を設けた。【選択図】図１
2014016413.tif 000002
【特許請求の範囲】
【請求項１】
把持部と、
前記把持部に支持されていると共に、保存液に浸漬されたコンタクトレンズに密着して該コンタクトレンズを保持するコンタクトレンズ保持部を備えており、
前記コンタクトレンズ保持部が、前記コンタクトレンズの内面の外周縁部に対して近接して該コンタクトレンズの前記内面を覆蓋して該内面との間に閉状の保存液充填領域を画成することで該コンタクトレンズを吸着する吸着部を有している、
コンタクトレンズ吸着具。
【請求項２】
前記吸着部が球殻凸面形状を有しており、該吸着部の曲率半径が、前記コンタクトレンズの前記内面の曲率半径よりも大きくされている請求項１に記載のコンタクトレンズ吸着具。
【請求項３】
前記吸着部の曲率半径：Ｒが、１０ｍｍ≦Ｒ≦１５ｍｍの範囲で設定されている請求項２に記載のコンタクトレンズ吸着具。
【請求項４】
前記吸着部がＲａ２５. ０μｍ以下の表面粗さを有している請求項１〜３の何れか１項に記載のコンタクトレンズ吸着具。
【請求項５】
前記把持部がロッド形状を有しており、該把持部の一端部に前記コンタクトレンズ保持部が設けられている一方、前記コンタクトレンズ保持部が、該把持部の他端部と反対側に突出する球殻凸面形状を有している請求項１〜４の何れか１項に記載のコンタクトレンズ吸着具。
【発明の詳細な説明】
【技術分野】
【０００１】
本発明は、常用型や定期交換型の含水性のソフトコンタクトレンズをコンタクトレンズ保存ケースから取り出すために用いられる、コンタクトレンズ吸着具に関するものである。
【背景技術】
【０００２】
よく知られているように、常用型や定期交換型の含水性のソフトコンタクトレンズは、保存液とコンタクトレンズを収容する容器本体と該容器本体の開口部を覆蓋する蓋体を有するコンタクトレンズ保存ケースに収納されており、コンタクトレンズがその内面を開口部側に向けられた状態で保存液中に浸漬されて保存されるようになっている。そして、コンタクトレンズを装用する際には、蓋体を容器本体から取り外してから、一方の手指でコンタクトレンズを摘んで容器本体から取り出し、次に他方の手指にコンタクトレンズを移してから眼球の表面に装着する。
【０００３】
ところで、コンタクトレンズを手指で摘んで眼に装着する方法では、角膜表面に直接接触するコンタクトレンズの内面が指に付着した雑菌等により汚染され、コンタクトレンズの汚れや目の炎症等が発生するおそれがあった。また、付け爪等を使用している場合には、手指でコンタクトレンズを摘むことが難しく、付け爪の接触によってコンタクトレンズが損傷するおそれもあって、装着作業が困難であった。
【０００４】
そこで、特開２０００−２４５７６５号公報（特許文献１）には、スポイトの如き構造を有するコンタクトレンズ装着具が提案されている。これによれば、コンタクトレンズの外面に対して吸引力を及ぼすことで、手指によって直接触れることなくコンタクトレンズを移動させて、コンタクトレンズ保存ケースからの取り出しを行うことができる。
【０００５】
しかしながら、このような吸引力によるコンタクトレンズの保持は、形状安定性に優れたハードコンタクトレンズに対して有効である一方で、容易に変形するソフトコンタクトレンズでは、ノズル口に吸入されてしまって、変形や破れの発生が問題となる。
【０００６】
また、コンタクトレンズを直接手指で触ることなく着脱し得る別の器具として、特開２０１０−３２７７２号公報（特許文献２）には、ピンセットの如き構造を有するコンタクトレンズ着脱具が開示されている。即ち、特許文献２のコンタクトレンズ着脱具では、Ｖ字形状に繋がった第１把持片と第２把持片にそれぞれ固定された綿棒を操作して、コンタクトレンズをそれら綿棒によって挟んで手指の代わりに摘むことが可能とされている。
【０００７】
ところが、特許文献２に記載のコンタクトレンズ着脱具も、特許文献１に記載のコンタクトレンズ装着具と同様に、ハードコンタクトレンズの装着には有効であっても、ソフトコンタクトレンズの装着に使用することが難しかった。即ち、ソフトコンタクトレンズは、薄く柔軟性に優れた合成樹脂で形成されており、外力の作用によって容易に変形することから、綿棒による挟み込みが不充分な場合にはソフトコンタクトレンズが綿棒間から脱落するおそれがある。一方、綿棒で強く挟み込むと、ソフトコンタクトレンズが半分に折り畳まれてしまって、装着できないおそれがあった。
【先行技術文献】
【特許文献】
【０００８】
【特許文献１】特開２０００−２４５７６５号公報
【特許文献２】特開２０１０−３２７７２号公報
【発明の概要】
【発明が解決しようとする課題】
【０００９】
本発明は、上述の事情を背景に為されたものであって、その解決課題は、コンタクトレンズの内面を清潔に保ったまま眼に装着することが可能となると共に、コンタクトレンズを過度に変形させることなく容易に保持して、コンタクトレンズ保存ケースから取り出すことができる、新規な構造のコンタクトレンズ吸着具を提供することにある。
【課題を解決するための手段】
【００１０】
以下、前述の如き課題を解決するために為された本発明の態様を記載する。なお、以下に記載の各態様において採用される構成要素は、可能な限り任意の組み合わせで採用可能である。
【００１１】
すなわち、コンタクトレンズ吸着具に関する本発明の第１の態様は、把持部と、前記把持部に支持されていると共に、保存液に浸漬されたコンタクトレンズに密着して該コンタクトレンズを保持するコンタクトレンズ保持部を備えており、前記コンタクトレンズ保持部が、前記コンタクトレンズの内面の外周縁部に対して近接して該コンタクトレンズの前記内面を覆蓋して該内面との間に閉状の保存液充填領域を画成することで該コンタクトレンズを吸着する吸着部を有しているものである。
【００１２】
本態様に従う構造とされたコンタクトレンズ吸着具を用いれば、コンタクトレンズ保存ケースの内部で保存液に浸漬されたコンタクトレンズを、コンタクトレンズ保持部の吸着部にコンタクトレンズの内面を吸着保持した状態で、コンタクトレンズ保存ケースから取り出すことができる。これにより、コンタクトレンズをコンタクトレンズ保存ケースから取り出す際に、コンタクトレンズの内面に指が触れることがなく、指の接触によるコンタクトレンズ内面の汚染を有利に防止できる。しかも、狭いコンタクトレンズ保存ケース内に指を挿し入れて操作する必要がなく、コンタクトレンズを爪等で傷付ける可能性を低減できる。また、吸着部に吸着保持されたコンタクトレンズの外面の外周縁部を親指と人差し指や中指の間で挟んで保持することにより、吸着部からコンタクトレンズを取り外すと共に、他の指の腹にコンタクトレンズを載せ替えて、角膜上に装着できる。従って、コンタクトレンズの内面に指が接触することなく、少ない操作回数でコンタクトレンズを角膜上に装着できることから、操作性の向上と、コンタクトレンズへの汚れ付着防止を達成することができる。
【００１３】
また、コンタクトレンズ内面の吸着部への吸着は、コンタクトレンズの内面の外周縁部が吸着部に保存液の表面張力により密着されることにより、コンタクトレンズ内面と吸着部との間に保存液充填領域を画成した状態で実現される。それ故、保存液中のコンタクトレンズの内面に吸着部を近付けるだけで、保存液の表面張力により吸着部に吸い寄せられ、吸着することができる。これにより、コンタクトレンズをコンタクトレンズ保存ケースから取り出す際に、コンタクトレンズを摘み上げる必要がないことから、取り出し操作性が向上すると共に、摘み上げることによるコンタクトレンズの過度の変形や落下を有利に防止できる。
【００１４】
また、保存液の表面張力を利用して、コンタクトレンズをコンタクトレンズ保持部の吸着部に吸着保持していることから、従来の如き、スポイト構造やピンセット構造の道具を使用する場合に比して、コンタクトレンズに加わる局所的な外力を大幅に低減できて、コンタクトレンズの破損や傷つきのおそれを解消しつつ、保存液に浸漬されたコンタクトレンズの容易な取り出しが可能となるのである。
【００１５】
なお、吸着部の形状は保存液の粘性や保存液充填領域の容積、コンタクトレンズ内面の外周縁部の曲率等、吸着部の表面粗さ等を考慮して適宜に設定し得るものである。要するに、保存液充填領域内の保存液の表面張力による吸着力が発揮され得る限り、吸着部を略平坦な突出面や、凹面、凸面等任意の形状で構成することができる。
【００１６】
コンタクトレンズ吸着具に関する本発明の第２の態様は、第１の態様に記載されたコンタクトレンズ吸着具において、前記吸着部が球殻凸面形状を有しており、該吸着部の曲率半径が、前記コンタクトレンズの前記内面の曲率半径よりも大きくされているものである。
【００１７】
本態様によれば、吸着部が球殻凸面形状で、且つ略球殻凹面形状のコンタクトレンズの内面の曲率半径よりも大きな曲率半径で構成されていることから、コンタクトレンズ内面と吸着部との間に保存液充填領域を確実に画成しつつ、コンタクトレンズの内面の外周縁部が吸着部に保存液の表面張力により密着されることを、一層確実に実現することができる。これにより、球殻凸面形状の吸着部へ吸着させることによるコンタクトレンズの取り出し操作性の向上を一層有利に実現することが可能となる。
【００１８】
コンタクトレンズ吸着具に関する本発明の第３の態様は、第２の態様に記載されたコンタクトレンズ吸着具において、前記吸着部の曲率半径：Ｒが、１０ｍｍ≦Ｒ≦１５ｍｍの範囲で設定されているものである。
【００１９】
本態様によれば、吸着部の曲率半径：Ｒが、１０ｍｍ≦Ｒ≦１５ｍｍの範囲で設定されていることから、コンタクトレンズの一般的な内面の曲率半径Ｒ（例えば８．６ｍｍ等）において、コンタクトレンズの内面の外周縁部が吸着部に保存液の表面張力により密着されることを、一層確実に実現することができる。なお、より好ましくは、吸着部の曲率半径：Ｒが、１２ｍｍ≦Ｒ≦１３ｍｍの範囲で設定されている。
【００２０】
コンタクトレンズ吸着具に関する本発明の第４の態様は、第１〜第３の何れか１つの態様に記載されたコンタクトレンズ吸着具において、前記吸着部がＲａ２５.０μｍ以下の表面粗さを有しているものである。
【００２１】
本態様によれば、吸着部の表面粗さがＲａ２５．０μｍ以下に設定されていることから、コンタクトレンズの内面の外周縁部における吸着部に対する保存液の表面張力により密着が一層有利に実現される。なお、より好ましくは、吸着部の表面粗さがＲａ６．３μｍ以下に設定される。
【００２２】
コンタクトレンズ吸着具に関する本発明の第５の態様は、第１〜第４の何れか１つの態様に記載されたコンタクトレンズ吸着具において、前記把持部がロッド形状を有しており、該把持部の一端部に前記コンタクトレンズ保持部が設けられている一方、前記コンタクトレンズ保持部が、該把持部の他端部と反対側に突出する球殻凸面形状を有しているものである。
【００２３】
本態様によれば、把持部の突出方向と吸着部の突出方向が反対方向とされていることから、把持部の上端部を保持した状態で、コンタクトレンズ保持部の吸着部を、コンタクトレンズ保存ケースの上方から挿入することができ、一層の操作性の向上を図ることができる。
【発明の効果】
【００２４】
本発明のコンタクトレンズ吸着具によれば、コンタクトレンズ保持部の吸着部にコンタクトレンズの内面を吸着保持した状態で、コンタクトレンズ保存ケースから取り出すことができる。これにより、コンタクトレンズをコンタクトレンズ保存ケースから取り出す際に、コンタクトレンズの内面に指が触れることがなく、指の接触によるコンタクトレンズ内面の汚染を有利に防止できる。しかも、保存液の表面張力を利用して吸着部に吸着保持していることから、従来の如き、スポイト構造やピンセット構造の道具を使用する場合に比して、コンタクトレンズに加わる局所的な外力を大幅に低減できて、コンタクトレンズの破損や傷つきのおそれを解消しつつ、保存液に浸漬されたコンタクトレンズの容易な取り出しが可能とできるのである。
【図面の簡単な説明】
【００２５】
【図１】本発明の一実施形態としてのコンタクトレンズ吸着具を示す側面図。
【図２】同コンタクトレンズ吸着具の正面図。
【図３】同コンタクトレンズ吸着具の平面図。
【図４】コンタクトレンズ保存ケースの開蓋時の側面図。
【図５】コンタクトレンズ吸着の状態を説明するためのコンタクトレンズ保存ケースを構成する容器本体とコンタクトレンズ吸着具の平面図。
【図６】図５におけるＶＩ−ＶＩ断面図。
【図７】コンタクトレンズ取出し時の状態を説明するための断面説明図。
【図８】コンタクトレンズピックアップ時の状態を説明するためのコンタクトレンズ吸着具の底面図。
【図９】コンタクトレンズを眼に装用する状態を説明するための側面図であって、手指に内面を上にしてコンタクトレンズが載置された状態を示す。
【発明を実施するための形態】
【００２６】
以下、本発明を更に具体的に明らかにするために、本発明の実施形態について、図面を参照しつつ、詳細に説明する。
【００２７】
先ず、図１〜３には、本発明の第一の実施形態としてのコンタクトレンズ吸着具１０が、示されている。このコンタクトレンズ吸着具１０は、把持部１２と、把持部１２に支持されていると共に、後述するように保存液３６に浸漬されたコンタクトレンズ２４に密着してコンタクトレンズ２４を保持するコンタクトレンズ保持部１４を備えており、ポリプロピレン（ＰＰ）やポリエチレン（ＰＥ）の他、ポリスチレン（ＰＳ），ポリカーボネート（ＰＣ）、ポリエチレンテレフタレート（ＰＥＴ），アクリロニトリル・ブタジエン・スチレン共重合樹脂（ＡＢＳ）等の公知の合成樹脂材料により射出成形等によって一体形成されている。また、以下の説明において、特に断りの無い限り、上下方向とは、図１における上下方向をいうものとする。
【００２８】
より詳細には、把持部１２はロッド形状を有しており、把持部１２の一端部たる下端部にはコンタクトレンズ保持部１４が設けられている一方、把持部１２の他端部たる上端部１６は把持し易いように扁平形状とされている。また、把持部１２は、コンタクトレンズ保持部１４の中心軸上に対して一方の側（図１中右方向）に僅かに傾斜して形成されている。
【００２９】
また、コンタクトレンズ保持部１４は、薄肉円板形状の基端部２０と、基端部２０の中央部分から把持部１２の上端部１６と反対側に突出する略球殻凸面形状の吸着部２２が一体的に設けられた構造とされている。
【００３０】
一方、コンタクトレンズ吸着具１０を用いて吸着されるコンタクトレンズ２４は、図４〜５に示す如き公知のコンタクトレンズ保存ケース２６において、後述する保存液３６に浸漬された状態で、収容保存されている。このコンタクトレンズ保存ケース２６は、上方に開口する一対の収容凹所２８、２８が一体形成された容器本体３０と、それぞれの収容凹所２８、２８を覆蓋する一対の蓋体３２，３２を含んで構成されている。これら一対の収容凹所２８、２８は互いに同様の構造とされている。
【００３１】
収容凹所２８は、上方に開口する上方開口部３４が形成された略有底円筒形状とされており、上方開口部３４の内径寸法は、収容すべきコンタクトレンズ２４のレンズ径寸法よりも大きく且つ、コンタクトレンズ吸着具１０のコンタクトレンズ保持部１４が挿入可能な大きさとされている。また、収容凹所２８には、コンタクトレンズ２４と保存液３６が収容されており、内面３８を上方に向けた状態のコンタクトレンズ２４を浸漬するのに十分な量の保存液３６で充填されている。なお、収容されるコンタクトレンズ２４や保存液３６の種類や材質等は限定されるものでないが、本実施形態において、コンタクトレンズ２４は、例えば、ＨＥＭＡ（ヒドロキシエチルメタクリレート）やシリコーンハイドロゲルを素材とする親水性ソフトコンタクトレンズとされると共に、保存液３６は、コンタクトレンズ２４を眼内に装着して使用し得る状態に保存維持せしめ得るものであれば何れでもよく、無菌水溶液，等浸透圧食塩水やそれらに殺菌成分が含有されたもの等とされる。また、収容されるコンタクトレンズ２４の形状も特に限定されたものではないが、例えばベースカーブである内面３８の曲率半径が８．１〜９．０ｍｍで、レンズ外形が１３．８〜１４．４ｍｍのものが想定され得る。
【００３２】
図５〜６に示すように、コンタクトレンズ保持部１４の吸着部２２の曲率半径：Ｒは、コンタクトレンズ２４の内面３８の曲率半径（ベースカーブ）：ｒよりも大きくされている。より具体的には、吸着部２２の曲率半径：Ｒは、１０ｍｍ≦Ｒ≦１５ｍｍの範囲で設定されており、コンタクトレンズ２４のベースカーブである内面３８の曲率半径：ｒ（８．１ｍｍ≦ｒ≦９．０ｍｍ）よりも大きくされている。また、図５から明らかな通り、吸着部２２の外径は、コンタクトレンズ２４の外形よりも大きく、収容凹所２８の上方開口部３４の内径よりも小さく形成されている。
【００３３】
また、コンタクトレンズ保持部１４の吸着部２２は充分に滑らかな面により形成されており、具体的には、表面粗さＲａが２５μｍ以下、より好ましくは、６．３μｍ以下の滑面とされる。なお、表面粗さＲａは、表面粗さのＪＩＳ規格（ＪＩＳ  Ｂ  ０６０１−２００１）に基づくものである。
【００３４】
このような構造とされた、本実施形態のコンタクトレンズ吸着具１０の使用手順について、図７〜９を用いて説明する。まず本実施形態のコンタクトレンズ吸着具１０を用いてコンタクトレンズ２４を取り出す際には、開蓋されたコンタクトレンズ保存ケース２６の収容凹所２８内にコンタクトレンズ吸着具１０のコンタクトレンズ保持部１４を、収容凹所２８に貯留された保存液３６の液面４０より下方に入れ込む。この時、把持部１２がコンタクトレンズ保持部１４の中心軸上から傾けて形成されていることから、把持部１２を把持する使用者の手により収容凹所２８が上方から覆い隠されることが回避される。従って十分な視認性を確保しつつ、コンタクトレンズ保持部１４に設けられた吸着部２２がコンタクトレンズ２４の内面３８に対向するように、コンタクトレンズ吸着具１０を位置決めして収容凹所２８内に挿入する作業が容易となり、操作性の向上が図られる。このように、コンタクトレンズ保持部１４に設けられた吸着部２２がコンタクトレンズ２４の内面３８の外周縁部４２に近接されると、保存液３６の表面張力が働いて、図７（ａ）に示すように、コンタクトレンズ２４の内面３８を覆蓋して、コンタクトレンズ２４の内面３８と吸着部２２の間に閉状の保存液充填領域４４を画成した状態で、コンタクトレンズ２４が吸着部２２に吸着保持される。
【００３５】
保存液充填領域４４の容量は、保存液３６の粘弾性や、保存液３６にかかる重力等を考慮して、コンタクトレンズ２４の内面３８の外周縁部４２と吸着部２２の表面張力による密着が破られない程度に、任意に設定され得る。より具体的には、ベースカーブ８．６ｍｍで直径１４．２ｍｍのコンタクトレンズ２４の場合、吸着部２２の曲率半径Ｒ１０ｍｍでは保存液充填領域４４の容量７７μｌとなり、吸着部２２の曲率半径Ｒ１５ｍｍでは保存液充填領域４４の容量１８０μｌとなり、さらに、吸着部２２の曲率半径Ｒが非常に大きく略平坦面では保存液充填領域４４の容量３２５μｌとなる。
【００３６】
そして、コンタクトレンズ吸着具１０のコンタクトレンズ保持部１４を、図７（ｂ）に示すように、収容凹所２８から取り出す。この時、コンタクトレンズ２４は、コンタクトレンズ２４の内面３８と吸着部２２の間の保存液充填領域４４に充填された保存液３６の表面張力により、吸着部２２に吸着保持されたままの状態で取り出される。次に、図７（ｃ）に示すようにコンタクトレンズ吸着具１０を裏返し、図８に示すように親指４６と人差指４８等でコンタクトレンズ２４の外面５０の外周縁部５２を押し、表面張力を破る。これにより、保存液充填領域４４に収容された保存液３６が流れ出すことにより、表面張力による密着が速やかに解消され、コンタクトレンズ保持部１４の吸着部２２からコンタクトレンズ２４を取り外すことができる。そして、コンタクトレンズ２４の外面５０の外周縁部５２を親指４６と人差指４８等の間で挟んで保持したまま、図９に示すように他の指の腹にコンタクトレンズ２４を載せ替えて、角膜上に装着する。なお、コンタクトレンズ吸着具１０は、吸着部２２からコンタクトレンズ２４を取り出した後は、繰り返して頻回使用される。
【００３７】
以上述べてきたように、本実施形態のコンタクトレンズ吸着具１０を用いれば、コンタクトレンズ保存ケース２６の内部で保存液３６に浸漬されたコンタクトレンズ２４を、コンタクトレンズ保持部１４の吸着部２２にコンタクトレンズ２４の内面３８を吸着保持した状態で、コンタクトレンズ保存ケース２６から取り出すことができる。これにより、コンタクトレンズ２４を取り出す際に、コンタクトレンズ２４の内面３８に指が触れることがなく、指の接触によるコンタクトレンズ２４の内面３８の汚染を有利に防止できる。しかも、狭いコンタクトレンズ保存ケース２６内に指を挿し入れて操作する必要がなく、コンタクトレンズ２４を爪等で傷付ける可能性を低減できる。また、吸着部２２に吸着保持されたコンタクトレンズ２４の外面５０の外周縁部５２を親指４６と人差指４８や中指の間で挟んで保持することにより、吸着部２２からコンタクトレンズ２４を取り外すと共に、他の指の腹にコンタクトレンズ２４を載せ替えて、角膜上に装着できる。従って、コンタクトレンズ２４の内面３８に指が接触することなく、少ない操作回数でコンタクトレンズ２４を角膜上に装着できることから、操作性の向上と、コンタクトレンズ２４への汚れ付着防止を達成することができる。
【００３８】
また、コンタクトレンズ２４の内面３８の吸着部２２への吸着は、コンタクトレンズ２４の内面３８の外周縁部４２が吸着部２２に保存液３６の表面張力により密着されることにより、コンタクトレンズ２４の内面３８と吸着部２２との間に保存液充填領域４４を画成した状態で実現される。それ故、保存液３６中のコンタクトレンズ２４の内面３８に吸着部２２を近付けるだけで、保存液３６の表面張力により吸着部２２に吸い寄せられ、吸着することができる。これにより、従来の如き、スポイト構造やピンセット構造の道具を使用する場合に比して、コンタクトレンズ２４に加わる局所的な外力を大幅に低減できて、コンタクトレンズ２４の破損や傷つきのおそれを解消しつつ、保存液３６に浸漬されたコンタクトレンズ２４の容易な取り出しが可能となるのである。
【００３９】
また、吸着部２２が球殻凸面形状で且つ略球殻凹面形状のコンタクトレンズ２４の内面３８の曲率半径（例えば８．１〜９．０ｍｍ）よりも大きな曲率半径（例えば１０ｍｍ〜１５ｍｍ）で構成されていること、また吸着部２２の表面粗さがＲａ２５．０μｍ以下に設定されていることから、コンタクトレンズ２４の内面３８と吸着部２２との間に保存液充填領域４４を確実に画成しつつ、コンタクトレンズ２４の内面３８の外周縁部４２が吸着部２２に保存液３６の表面張力により密着されることを、一層確実に実現することができる。
【００４０】
さらに、把持部１２の突出方向と吸着部２２の突出方向が反対方向とされており、しかも把持部１２がコンタクトレンズ保持部１４の中心軸上から傾けて形成されていることから、把持部１２の上端部１６を保持した状態で、コンタクトレンズ保持部１４の吸着部２２を、コンタクトレンズ保存ケース２６の斜め上方から挿入しても、十分な視認性を確保しつつコンタクトレンズ保持部１４に設けられた吸着部２２をコンタクトレンズ２４の内面３８に対向する位置に位置決めして近接させることが可能となることから、一層の操作性の向上を図ることができる。
【００４１】
以上、本発明の実施形態について詳述してきたが、これらはあくまでも例示であって、本発明は、これら実施形態における具体的な記載によって、何等、限定的に解釈されるものでない。
【００４２】
球殻凸面形状の吸着部２２は、コンタクトレンズ２４の内面３８との間に保存液充填領域４４を画成しコンタクトレンズ２４を吸着し得るものであれば、曲率半径Ｒを必ずしも一定とする必要はなく、非球面形状などとしてもよい。また、吸着部２２の一部に平面部を設けたり、吸着部２２を多面体形状としてもよい。
【００４３】
また、把持部１２はロッド形状に限定されるものではなく、平板形状などでもよい。さらにコンタクトレンズ保持部１４を支持し且つ把持できるものであれば何れでもよく、例えばコンタクトレンズ保持部１４の基端部２０の外周縁部から吸着部２２と反対側に突出する筒状部などにより把持部１２を構成してもよい。
【００４４】
また、把持部１２はコンタクトレンズ保持部１４の中心軸上から傾けて形成されるものに限定されるものではなく、コンタクトレンズ保持部１４の中心軸上に構成してもよいし、さらに把持部１２に手指で把持する部分に手指に対応する凹みを設ける等してもよい。
【００４５】
また、コンタクトレンズ吸着具１０を透明な合成樹脂材料で形成して、コンタクトレンズ保持部１４を通して上部からコンタクトレンズ２４等が視認出来るようになし、更なる操作性の向上を図ってもよい。
【００４６】
その他、一々列挙はしないが、本発明は、当業者の知識に基づいて、種々なる変更、修正、改良等を加えた態様において実施され得るものであり、また、そのような実施態様が、本発明の趣旨を逸脱しない限り、何れも、本発明の範囲内に含まれるものであることは、言うまでもない。
【符号の説明】
【００４７】
１０：コンタクトレンズ吸着具、１２：把持部、１４：コンタクトレンズ保持部、１６：上端部（他端部）、２２：吸着部、２４：コンタクトレンズ、３６：保存液、３８：内面、４２：外周縁部、４４：保存液充填領域
【図１】
2014016413.tif 000003
【図２】
2014016413.tif 000004
【図３】
2014016413.tif 000005
【図４】
2014016413.tif 000006
【図５】
2014016413.tif 000007
【図６】
2014016413.tif 000008
【図７】
2014016413.tif 000009
【図８】
2014016413.tif 000010
【図９】
2014016413.tif 000011